(57)【特許請求の範囲】
【請求項１】
基礎上に設けたピット内に免震装置を設置し、この免震装置によって建築物を支持させていると共に建築物の下部から水平方向に先端部が上記ピットの擁壁上に達する位置までキャンチスラブを張り出して該キャンチスラブの先端部下面に設けている水切り部から滴下する水を擁壁外に排出するように構成している免震構造物の下部構造において、上記キャンチスラブの先端面を擁壁の外側面から地表面側に突出させることなく擁壁の外壁面の上方、又は、該外壁面から内側に没入させた位置となるようにキャンチスラブの張り出し長さを設定していると共に、擁壁の上端面に擁壁の幅方向の中央部から該擁壁の外側面上端に向かって斜め下方に傾斜した傾斜面からなる排水案内面を形成してあり、この排水案内面に上記キャンチスラブの先端部下面に設けている水切り部を近接させた状態で対向させていることを特徴とする免震建築物の下部構造。
【発明の詳細な説明】
【０００１】
【発明の属する技術分野】
本発明は基礎上に設置した免震装置に支持されている免震建築物における下部構造に関するものである。
【０００２】
【従来の技術】
地震や強風によって建築物が大きく揺れるのを抑制するために、基礎と建築物との間に免震装置を介装し、この免震装置によって地震時等において発生する振動を吸収させるようにした免震建築物が広く知られている。
【０００３】
このような免震建築物の１つの具体的な構造としては、図４に示すように、地中に所定深さのピット21を掘削すると共に該ピット21の下方の地盤に基礎22を造成してこの基礎22により上記ピット21の底面に施工したピット床スラブ23を支持させ、さらに、該ピット床スラブ23上の複数箇所に一定高さの下側支持部材26を一体に打設すると共に各下側支持部材26上に免震装置25を設置し、この免震装置25上に上側支持部材27を介して建築物30を支持させてなる免震建築物がある。
【０００４】
このように構成した免震構造物においては、地震発生時に振動によってピット21の擁壁24と免震装置25上の上側支持部材27とが衝突する虞れがあるので、これを避けるために、擁壁24と上側支持部材27との対向面間の間隙部ｂを、予想される最大水平変位量に余裕を持たせた距離に設定している。しかしながら、このような間隙部ｂを設けておくと、雨水がこの間隙部ｂの上方からピット21内に浸入して免震装置25等に悪影響を及ぼすことになる。
【０００５】
従って、ピット21内への雨水の浸入を防止するために、従来から建築物30の最下層階側の外壁に上記間隙部ｂを覆ったキャンチスラブ32を突設し、このキャンチスラブ32の先端部を上記ピット21の擁壁24から外側の地表面上方にまで突出させ且つ該キャンチスラブ32の上面を先端に向かって下方に傾斜する傾斜面に形成して雨水を擁壁外にまで案内し、キャンチスラブ32の先端部下面に設けている水切り部33から擁壁外の地表面に滴下或いは流下させている。
【０００６】
【発明が解決しようとする課題】
しかしながら、上記免震建築物30を狭い敷地内に構築する場合には、キャンチスラブ32の先端部がピット21の擁壁24から敷地境界線Ａ側に突出しているので、該キャンチスラブ32の先端と敷地境界線Ａとの間の幅がそれだけ狭くなることになる。この幅ａは、一般的に避難時等において人が通行可能な65cm幅にしておくことが要求されるが、上記のように水切りのためにキャンチスラブ32の先端部を擁壁24から敷地境界線Ａ側に突出させると、上記必要な幅を確保することが困難になるという問題点があった。
【０００７】
さらに、キャンチスラブ32の張り出し長さをその先端がピット21の擁壁24から外側の地表面上に達するまで長くすると、強度上、その厚みを増大させたり、梁を設ける必要が生じて建築費が高くつくという問題点があった。
【０００８】
本発明は上記のような問題点に鑑みてなされたもので、キャンチスラブの張り出し長さを短くしているにもかかわらず、該キャンチスラブの先端水切り部からの擁壁外への雨水の確実な排出を可能にし、敷地境界線とキャンチスラブの先端間に上記必要な幅を確保し得るようにした免震建築物の下部構造を提供することを目的とする。
【０００９】
【課題を解決するための手段】
上記目的を達成するために、本発明の免震建築物の下部構造は、請求項１に記載したように、基礎上に設けたピット内に免震装置を設置し、この免震装置によって建築物を支持させていると共に建築物の下部から水平方向に先端部が上記ピットの擁壁上に達する位置までキャンチスラブを張り出して該キャンチスラブの先端部下面に設けている水切り部から滴下する水を擁壁外に排出するように構成している免震構造物の下部構造において、上記キャンチスラブの先端面を擁壁の外側面から地表面側に突出させることなく擁壁の外壁面の上方、又は、該外壁面から内側に没入させた位置となるようにキャンチスラブの張り出し長さを設定していると共に、擁壁の上端面に擁壁の幅方向の中央部から該擁壁の外側面上端に向かって斜め下方に傾斜した傾斜面からなる排水案内面を形成してあり、この排水案内面に上記キャンチスラブの先端部下面に設けている水切り部を近接させた状態で対向させてなる構造としている。
【００１０】
【作用】
建築物の下部に張り出しているキャンチスラブによってピットの擁壁とピット内における建築物の下部との間の間隙部を覆っており、従って、雨水が該間隙部に浸入することなくこのキャンチスラブの上面を伝って該キャンチスラブの先端部に達し、その先端部下面に設けている水切り部によって擁壁の上端面上に滴下、或いは流下する。この際、擁壁の上端面には雨水を擁壁外に排出する案内面を形成しているので、水切り部を設けているキャンチスラブの先端部を擁壁外の地表面側に突出させることなく、水切り部から擁壁の上端面上に滴下、或いは流下する雨水を上記案内面によって擁壁外の地表面に確実に排出することができる。
【００１１】
このように、キャンチスラブの先端部を擁壁から外側に突出させることなく雨水の排出が行えるので、キャンチスラブの先端面と敷地境界線との間の幅を広くとることができ、従って、避難時等において人が通行するのに必要な幅を確保することができるものであり、また、キャンチスラブの張り出し長さが短いので、肉厚を薄くしても所定の強度を維持し得るから、材料費の削減を図ることができる。
【００１２】
擁壁の上端面やこの擁壁の上端からピット内に向かって突設している突縁部の上端面に形成した上記排水案内面としては、擁壁の外側面に向かって斜め下方に傾斜させた傾斜面からなるので、形状が簡単で容易に形成することができると共にこの傾斜面によって確実に擁壁外に排出することができる。
【００１３】
【発明の実施の形態】
次に、本発明の具体的な実施の形態を図面について説明すると、１は敷地境界線Ａに隣接した地中に掘削、形成している所定深さの基礎部造成用ピットで、このピット１の下方の地中にコンクリートの打設によって基礎２を造成していると共に該基礎２の上端に連なるピット１の底面に基礎２と一体の一定厚みを有するピット床スラブ３を同じくコンクリートの打設によって造成してあり、さらに、ピット２の周壁面に下端が床スラブ３と一体化し、上端面がピット１の開口端、即ち、地表面Ｂに達している所定の肉厚を有する擁壁４をコンクリートの打設によって一体に造成している。この擁壁４の上端面には、その幅方向の中央部から地表面Ｂ側、即ち、該擁壁４の外壁面上端に向かって斜め下方に傾斜した傾斜面からなる排水案内面4aを形成している。
【００１４】
また、上記ピット１内において、その床スラブ３上の複数箇所には免震装置５が設置されてあり、これらの免震装置５によって建築物10を支持させている。詳しくは、建築物10における各柱11の下方に位置する床スラブ３上にこの床スラブ３と一体に造成した一定高さを有するコンクリート製の短柱形状の下側支持部材６を配設し、各下側支持部材６上に上記免震装置５を載置してその下面を下側支持部材６に固定していると共にこの免震装置５上に同じく一定高さを有するコンクリート製の短柱形状の上側支持部材７を載置してその下面を免震装置５の上面に固定してあり、該上側支持部材７の上面で建築物10の柱11の下端面を支持している。
【００１５】
上記免震装置５としては、ゴム板を積層してなる積層ゴムや、ゴム板と金属板との積層体、或いは、すべり支承、転がり支承、弾塑性減衰材、流体系減衰材等の適宜な免震装置を採用することができる。
【００１６】
ピット１内に設置された上記免震装置５において、建築物10の外壁側の柱11を支持している免震装置５上の上側支持部材７とピット１の擁壁４とは、地震発生時に互いの衝突を避けるために、所定幅（距離）の間隙部ｂを存して対向している。この間隙部ｂの幅寸法は、予想される大地震時の解析水平変位量に余裕をもたせた寸法であって、一般的には50cm位に設定されている。
【００１７】
上記建築物10における最下階層（一階層）の床スラブ12は、ピット１の上端開口部の高さ位置に設けられていると共にこの高さ位置に相当する建築物10の下部外壁に、該外壁から水平方向に先端部が上記擁壁４の上方に達する位置までキャンチスラブ13を張り出してあり、このキャンチスラブ13によってピット１の擁壁４と免震装置５上の上側支持部材７間の間隙部ｂの上方空間部を覆って雨水がピット１内に吹き込むのを防止している。
【００１８】
キャンチスラブ13はその上面を建築物10の外壁側から先端に向かって下方に緩傾斜した傾斜面13a に形成していると共に、先端部下面を擁壁４の上端面から上方に僅かな隙間を存して対向させてあり、さらに、その先端面13b は地表面Ｂ側に突出することなく擁壁４の外壁面の上方、又は、該外壁面から内側に没入させた位置となるようにキャンチスラブ13の張り出し長さを設定して該キャンチスラブ13の先端面13b と敷地境界線Ａとの間の幅（距離）ａを避難時等において人が通行可能な65cm幅以上に形成していると共に、キャンチスラブ13の先端部下面に、擁壁４の上端面に形成している上記排水案内面4aに近接させた状態で対向した断面下向きコ字状の水切り部14を設けている。
【００１９】
このように建築物10の下部構造を構成しているので、降雨時において雨水がキャンチスラブ13の傾斜上面を伝って先端に達すると、その先端面13b から滴下、或いは流下すると共に該先端面13b の下端から内側に回り込んだ雨水は水切り部14によってそれ以上建築物10側に流動するのを阻止され、該水切り部14によって水切りされて擁壁４の排水案内面4a上に滴下或いは流下し、該案内面4aを通じて擁壁４外の地表面Ｂ側に排水される。
【００２０】
【発明の効果】
以上のように本発明の免震建築物の下部構造によれば、基礎上に設けたピット内に免震装置を設置し、この免震装置によって建築物を支持させていると共に建築物の下部から水平方向に先端部が上記ピットの擁壁上に達する位置までキャンチスラブを張り出して該キャンチスラブの先端部下面に設けている水切り部から滴下する水を擁壁外に排出するように構成している免震構造物の下部構造において、上記キャンチスラブの先端面を擁壁の外側面から地表面側に突出させることなく擁壁の外壁面の上方、又は、該外壁面から内側に没入させた位置となるようにキャンチスラブの張り出し長さを設定していると共に、擁壁の上端面に排水案内面を形成してこの排水案内面に上記キャンチスラブの先端部下面に設けている水切り部を近接させた状態で対向させているので、キャンチスラブの張り出し長さが短くなって敷地境界線と該キャンチスラブの先端面との間に、避難時等において人が通行するのに必要な十分な幅を確保することができるものであり、その上、キャンチスラブの張り出し長さが短いので、肉厚を薄くしても所定の強度を得ることができると共に材料費の削減を図ることができるものである。
【００２１】
さらに、キャンチスラブの先端部下面に設けている水切り部をピットの擁壁の上端排水案内面上に対向させているので、キャンチスラブの張り出し長さを短くしているにもかかわらず、キャンチスラブの水切り部から擁壁の上端面上に滴下、或いは流下する雨水を上記案内面によって擁壁外の地表面に確実に排出することができる。
【図面の簡単な説明】
【図１】  本発明の一実施の形態を示す縦断側面図、
【図２】  その要部の拡大縦断側面図、
【図３】  従来例を示す縦断側面図。
【符号の説明】
Ａ  敷地境界線
Ｂ  地表面
１  ピット
２  基礎
３  ピットの床スラブ
４  擁壁
4a  排水案内面
５  免震装置
10  建築物
13  キャンチスラブ
14  水切り部
【図１】
0004638095.tif 000002
【図２】
0004638095.tif 000003
【図３】
0004638095.tif 000004